(57)【要約】【課題】電子機器の搭載筐体の外部に生じた振動及び衝撃を、内蔵する電子機器に伝えにくい防振構造を有する電子機器の搭載筐体、及び該搭載筐体を着脱可能に装着する電子機器装着装置を提供すること。【解決手段】防振構造を有するハードディスク装置１６０のＨＤＤユニット１００であって、ハードディスク装置１６０は、その対向する一対の側面に備える複数個のダンパ１４０によってＨＤＤユニット１００に設けられているとともにハードディスク装置１６０とＨＤＤユニット１００とを電気的に接続するＦＰＣハーネス部１２０を備えており、ＦＰＣハーネス部１２０は、ＦＰＣによって形成され、スリット１２１が形成されており、ハードディスク装置１６０とシャーシ１１０との距離よりも長く形成されており、ハードディスク装置１６０とシャーシ１１０とを波型に湾曲した形状で接続している。【選択図】図１
2008210454.tif 000002
【特許請求の範囲】
【請求項１】
防振構造を有する電子機器の搭載筐体であって、
上記電子機器は、
上記電子機器の対向する一対の側面に備えられ、弾性を有する複数個の振動減衰手段によって上記搭載筐体に設けられているとともに上記電子機器に設けられた電子機器コネクタと上記搭載筐体に設けられた搭載筐体コネクタとを電気的に接続するシート状のＦＰＣによって形成された配線手段を備えており、
上記配線手段は、
スリットが形成されており、
上記電子機器と上記搭載筐体との距離よりも長く形成されており、
上記配線手段のシート面が上記配線手段が差し込まれる方向に対して波型に湾曲した形状を形成していることを特徴とする電子機器の搭載筐体。
【請求項２】
上記スリットが、上記配線手段に複数個設けられていることを特徴とする請求項１に記載の電子機器の搭載筐体。
【請求項３】
上記スリットは、上記配線手段が上記電子機器から上記搭載筐体に向かって設けられている方向に沿って形成されていることを特徴とする請求項１に記載の電子機器の搭載筐体。
【請求項４】
上記振動減衰手段が、上記電子機器の対向する一対の側面にそれぞれ２個ずつ設けられていることを特徴とする請求項１に記載の電子機器の搭載筐体。
【請求項５】
それぞれの上記振動減衰手段が、上記電子機器に対して対称となる位置に設けられていることを特徴とする請求項４に記載の電子機器の搭載筐体。
【請求項６】
上記電子機器が、ハードディスク装置であることを特徴とする請求項１に記載の電子機器の搭載筐体。
【請求項７】
さらに上記搭載筐体が該搭載筐体の外側の側面に設けられた信号接続手段を備えており、上記信号接続手段が上記配線手段に電気的に接続していることを特徴とする請求項１〜６のいずれか１項に記載の電子機器の搭載筐体。
【請求項８】
信号接続部を備えており、請求項７に記載する電子機器の搭載筐体を着脱可能に装着するとともに上記信号接続手段が上記信号接続部に電気的に接続されていることを特徴とする電子機器装着装置。
【発明の詳細な説明】
【技術分野】
【０００１】
本発明は、電子機器ユニット外に生じた振動及び衝撃を内蔵する電子機器に伝えにくい構造を有する電子機器の搭載筐体、及び該搭載筐体を着脱可能に装着する電子機器装着装置に関するものであり、特に、着脱可能に設けられたハードディスク装置に外部の振動及び衝撃を伝えにくい搭載筐体及びそれを着脱可能に装着する装着装置に関するものである。
【背景技術】
【０００２】
従来から、精密な電子機器を振動や衝撃から保護して使用するための技術が開発されている。例えば、上記のような精密な電子機器として、記録容量が大きく、高速に大量のデータを読み書きすることのできる記録再生装置、例えばハードディスク装置を振動や衝撃から保護して使用するための需要が高まっている。
【０００３】
ハードディスク装置は、大容量の記録容量を実現するために、極めて高密度に情報を記録・再生する記録再生手段を備えている。例えばハードディスクでは、円盤状のディスクに微細な記録領域を形成し、上記の記録再生手段をディスク上の記録領域に対して高精度に位置決めして情報を読み書きすることによって高密度な情報を記録し、再生している。また、大容量を実現するために、記録再生手段とディスクとは非常に小さな間隔を保持した状態で情報を記録再生している。つまり、ハードディスク装置などの大容量の記録再生装置では、動作中の記録再生手段の位置の再現性がきわめて重要であり、高精度の位置決め精度が要求されている。
【０００４】
このため、ハードディスク装置などは外部からの振動や衝撃に弱いことが知られている。外部から振動や衝撃が加わると、記録再生手段の位置にぶれが生じ、正確な記録再生が行えなくなるためである。また、振動や衝撃が大きくなると、ディスク上に記録再生手段が接触し、記録再生手段やディスクなどを機械的に損傷し、記録再生が行えないようになる場合がある。そのため、今日では記録再生を行わない場合には、記録再生手段がディスクから離れた位置に移動するような機構も実現されている。また、ハードディスク装置が落下の重力や衝撃を感知した場合に、記録再生手段がディスクから離れた位置に移動するような機構も実現されている。
【０００５】
また、ハードディスク装置の内部に生じる振動の影響を低減するための技術として、電気配線をＦＰＣ（Flexible Printed Circuit）によって接続し、さらにＦＰＣに空洞（スリット）を設けることによって特定周波数の固有振動数を低減する技術（特許文献１）が知られている。特許文献１では、ハードディスクドライブ内に機械的に生じる振動エネルギーの特定周波数での固有振動数をＦＰＣに設けたスリットの形状によって制御し、ハードディスク装置の動作を安定させる技術を開示している。
【０００６】
一方、ハードディスク装置はその動作時において振動などに弱いのであるが、その大容量の記録容量を持ち運ぶ用途としても重宝されている。例えばノートパソコンなどの持ち運び型のコンピュータの記録再生装置や、車載型道路ナビゲーションシステムの記録再生装置など、現在では大容量の電子情報を持ち運ぶ手段として広く用いられている。このようにハードディスク装置を振動及び衝撃の発生する環境で使用する場合には、ハードディスク装置の周囲に振動及び衝撃を吸収するためのダンパを設け、ハードディスク装置自体に外部の振動及び衝撃が伝わりにくくする技術などが知られている。
【０００７】
また、上記のようなハードディスク装置を従来の記録媒体、例えばコンパクトディスク（CD:Compact Disk）やＤＶＤ（Digital Versatile Disk）のように取り替え可能な大容量記録媒体として用いることも行われている。これは、例えば特許文献２に開示されている情報記憶装置のように、ハードディスク装置を備えるＨＤＤユニットが着脱機構を備えており、ハウジングに着脱されるなどの方法によって実現されている。また特許文献３に開示されているハードディスク装置のように、着脱可能なＨＤＤユニットが振動減衰手段を備えており、大容量の電子情報を着脱可能に持ち運ぶ技術も知られている。
【０００８】
このような技術を用いることによって、ＣＤやＤＶＤでは実現が困難である大容量の記録容量を自由に着脱して取替え、高速に読み書きする記録再生装置が実現されている。
【特許文献１】特開２００３−１８７５３７号公報（平成１５年（２００３年）７月４日公開）
【特許文献２】特開平１１−１４９７５３号公報（平成１１年（１９９９年）６月２日公開）
【特許文献３】特開２００３−３１４６１３号公報（平成１５年（２００３年）１１月６日公開）
【発明の開示】
【発明が解決しようとする課題】
【０００９】
しかしながら、上記従来の構成では、筐体に搭載される電子機器は、その電子機器が電気的に接続されている配線によって電子機器の搭載筐体の外部に生じた振動及び衝撃を内蔵する電子機器に伝えてしまうという問題点を有している。
【００１０】
図６は、特許文献３に開示されたＨＤＤユニットの断面図である。図６に記載するＨＤＤユニット５００では、ハードディスク装置５６０はシャーシ５１０の底面に設けられた振動減衰手段５４０を介してＨＤＤユニット５００に設置されている。また、ハードディスク装置５６０は、複数のケーブルが可撓性を有する帯状または束状にまとめられたフレキシブルケーブル５２０によって電気的にＨＤＤユニット５００のシャーシ５１０に接続されている。
【００１１】
上記フレキシブルケーブル５２０は、たるませた状態でハードディスク装置５６０とシャーシ５１０との間を接続している。このとき、図６に示すＨＤＤユニット５００が上下方向（図６に記載するｚ軸の方向）に動く振動及び衝撃に対してはスムーズに変形する。そのため、ＨＤＤユニット５００が上下方向（図６に記載するｚ軸の方向）に動く場合には、ＨＤＤユニット５００の動きがハードディスク装置５６０に伝わりにくいと考えられる。
【００１２】
しかしながら帯状にまとめられたフレキシブルケーブル５２０は、フレキシブルケーブル５２０がなす面に設けられる方向のうち、フレキシブルケーブル５２０に設けられた複数の信号線を横断する方向（図６に記載するｙ軸の方向）には特に変形し難い。
【００１３】
つまり、ＨＤＤユニット５００がハードディスク装置５６０に設けられたフレキシブルケーブル５２０に設けられた複数の信号線を横断する方向（図６に記載するｙ軸の方向）に振動及び衝撃によって動くと、フレキシブルケーブル５２０がスムーズに変形し難い。この場合、ＨＤＤユニット５００に生じた振動及び衝撃がフレキシブルケーブル５２０を介してハードディスク装置５６０に伝達する恐れがあった。
【００１４】
また、フレキシブルケーブル５２０は複数の可撓性を有するケーブルによって形成されているため、ハードディスク装置５６０をＨＤＤユニット５００のシャーシ５１０に設置する度にフレキシブルケーブル５２０の形状及び可撓性が変化する。そのため、ハードディスク装置５６０をシャーシ５１０に設置する度にハードディスク装置５６０に伝達され易い振動及び衝撃の方向が変化し、ハードディスク装置５６０の振動及び衝撃対策を講じることが難しかった。
【００１５】
さらに上記のようなフレキシブルケーブル５２０の変形によって、ハードディスク装置５６０とシャーシ５１０とを接続するフレキシブルケーブル５２０自体が有する固有振動数が変化するので、ハードディスク装置５６０に伝わる振動の周波数成分を制御することが難しかった。
【００１６】
また、図６に示すＨＤＤユニット５００では、ハードディスク装置５６０がシャーシ５１０の底面に設けられた振動減衰手段５４０を介してシャーシ５１０に設置されている。そのためハードディスク装置５６０に作用する前後左右上下方向の振動及び衝撃に対して、ハードディスク装置５６０の動きを効果的に抑制することが難しかった。
【００１７】
図７は、図６に記載された従来のＨＤＤユニットを正面方向から見た平面図である。図６及び図７に記載するＨＤＤユニット５００では、ハードディスク装置５６０がシャーシ５１０の底面に設けられた振動減衰手段５４０によって設置されている。そのため、ＨＤＤユニット５００が上下方向（図６及び図７に記載するｚ軸の方向）に動くと、ハードディスク装置５６０は上下方向に揺すられると共に振動減衰手段５４０の振動減衰効果によって動きが抑制される。しかしながら左右方向または前後方向（それぞれ図６及び図７に記載するｙ軸の方向及びｘ軸の方向）に揺すられた場合、ハードディスク装置５６０は振動減衰手段５４０を軸として左右または前後に振れながら揺れ動くことになる。図７では、上下および左右方向に振動が加えられた場合について記載した。そのため、図６及び図７に記載するような従来のＨＤＤユニットでは、フレキシブルケーブル５２０に設けられた複数の信号線を横断する方向（図６及び図７に記載するｙ軸の方向であり、左右方向）やフレキシブルケーブル５２０をＨＤＤユニットのコネクタに差し込む方向（つまり図６及び図７に記載するｘ軸の方向であり、前後方向）に内蔵されるハードディスク装置が動きにくかった。そのため、ハードディスク装置を効果的に振動及び衝撃から保護することが難しかった。
【００１８】
本発明は、上記従来の問題点に鑑みなされたものであって、その目的は、電子機器の搭載筐体の外部に生じた振動及び衝撃を内蔵する電子機器に伝えにくい防振構造を有する電子機器の搭載筐体、及び該搭載筐体を着脱可能に装着する電子機器装着装置を提供することにある。
【課題を解決するための手段】
【００１９】
本発明の電子機器の搭載筐体は、上記課題を解決するために、防振構造を有する電子機器の搭載筐体であって、上記電子機器は、上記電子機器の対向する一対の側面に備えられ、弾性を有する複数個の振動減衰手段によって上記搭載筐体に設けられているとともに上記電子機器に設けられた電子機器コネクタと上記搭載筐体に設けられた搭載筐体コネクタとを電気的に接続するシート状のＦＰＣによって形成された配線手段を備えており、上記配線手段は、スリットが形成されており、上記電子機器と上記搭載筐体との距離よりも長く形成されており、上記配線手段のシート面が上記配線手段が差し込まれる方向に対して波型に湾曲した形状を形成していることを特徴としている。
【００２０】
上記の構成によれば、搭載される電子機器はその一対の側面に備える複数個の振動減衰手段によって搭載筐体に設置されている。そのため、搭載筐体の外部から加えられた振動及び衝撃によって内蔵される電子機器が前後左右上下方向の何れの方向に揺すられた場合でも、振動減衰手段が揺すられたそれぞれの方向に対して直線的に伸縮を行うことができる。そのため、振動減衰手段は、その弾性によって振動及び衝撃を吸収、緩和する作用のみを行うことができ、効果的に振動及び衝撃による電子機器の動きを抑制することができる。
【００２１】
また、電子機器と搭載筐体とがＦＰＣによって形成されている配線手段によって電気的に接続されている。そのため、電子機器を搭載筐体に設置する度に配線手段の形状が変化することが少ない。そのため、配線手段が有する弾性の特性、例えば電子機器に接触していることによって作用する配線手段の弾性及び柔軟性の特性や、配線手段自体が有する固有振動数などが変化しにくい。そのため、搭載筐体の外部から伝達される振動及び衝撃を、常に同じように搭載する電子機器に伝達することができる。
【００２２】
また、配線手段がＦＰＣで一体に形成されているので、配線手段が有する弾性及び柔軟性の特性、例えば配線手段が搭載筐体に設置された電子機器に機械的に接触することによる配線手段の振動伝達作用や、配線手段自体が有する固有振動数などの影響を制御することが可能である。
【００２３】
さらに、配線手段は、電子機器と搭載筐体との距離よりも長く形成されており、搭載筐体コネクタに配線手段が差し込まれる方向に対して波型に湾曲した形状で電子機器と搭載筐体とを接続している。また、この配線手段は、上記配線手段のシート面が上記配線手段が差し込まれる方向に対しても波型に湾曲した形状で接続されているため、電子機器を機械的に押したり、引っ張ったりする作用を抑えることができる。また配線手段にはスリットが設けられているため、上記の搭載筐体コネクタ平面上であり、搭載筐体コネクタの差込口に配線手段を接続する方向に垂直な方向、即ちＦＰＣで形成される配線手段に設けられた複数の信号線を横断する方向に対してもスムーズに変形を行うことができる。そのため、搭載筐体の外部から伝達される振動及び衝撃を、配線手段が電子機器に伝達する作用が非常に少なくなる。つまり、電子機器は、振動減衰手段のみによって搭載筐体に設けられていると考えることができるので、振動減衰手段の弾性によって効果的に振動及び衝撃を吸収することができる。
【００２４】
また、上記スリットが、上記配線手段に複数個設けられている構成であることが好ましい。
【００２５】
上記の構成によれば、複数のスリットによって、配線手段が有する弾性の特性、例えば電子機器に接触していることによって作用する配線手段の弾性及び柔軟性や、配線手段自体が有する固有振動数などを調整することができる。
【００２６】
また、上記スリットは、上記配線手段が上記電子機器から上記搭載筐体に向かって設けられている方向に沿って形成されている構成であることが好ましい。
【００２７】
上記の構成によれば、ＦＰＣで形成されている配線手段には、電子機器から搭載筐体に向かって設けられている方向に沿ってスリットが形成されている。そのため、配線手段が有する弾性及び柔軟性の特性、例えば配線手段が電子機器に機械的に接触することによって作用する配線手段の振動伝達作用や、配線手段自体が有する固有振動数などを調整することができる。
【００２８】
また、上記振動減衰手段が、上記電子機器の対向する一対の側面にそれぞれ２個ずつ設けられている構成であることが好ましい。
【００２９】
上記の構成によれば、電子機器の対向する一対の側面に２個ずつ、合計４個の振動減衰手段によって電子機器が搭載筐体に設けられ、電子機器が前後上下左右に対して動く場合にしっかりと電子機器を保持することができる。
【００３０】
また、それぞれの上記振動減衰手段が、上記電子機器に対して対称となる位置に設けられている構成であることが好ましい。
【００３１】
上記の構成によれば、電子機器を搭載筐体にさらに安定して設けることができ、電子機器が前後上下左右に対して動く場合にしっかりと電子機器を保持することができる。
【００３２】
また、上記電子機器が、ハードディスク装置である構成であることが好ましい。
【００３３】
また、さらに上記搭載筐体が該搭載筐体の外側の側面に設けられた信号接続手段を備えており、上記信号接続手段が上記配線手段に電気的に接続している構成であることが好ましい。
【００３４】
上記の構成によれば、信号接続手段によって本発明の電子機器の搭載筐体を電気的に接続することによって、外部機器との電気的な接続が可能となる。また、信号接続手段が外部機器との接続を解除することによって、本発明の電子機器の搭載筐体を大容量の記録容量を持ち運ぶための記録媒体として用いることができる。
【００３５】
本発明の電子機器装着装置は、上記課題を解決するために、信号接続部を備えており、上記に記載する電子機器の搭載筐体を着脱可能に装着するとともに上記信号接続手段が上記信号接続部に電気的に接続されていることを特徴としている。
【００３６】
上記の構成によれば、本発明の電子機器装着装置は本発明の電子機器の搭載筐体を記録媒体として着脱可能に備えることができる。
【発明の効果】
【００３７】
本発明の電子機器の搭載筐体は、以上のように、上記電子機器は、上記電子機器は、上記電子機器の対向する一対の側面に備えられ、弾性を有する複数個の振動減衰手段によって上記搭載筐体に設けられているとともに上記電子機器に設けられた電子機器コネクタと上記搭載筐体に設けられた搭載筐体コネクタとを電気的に接続するシート状のＦＰＣによって形成された配線手段を備えており、上記配線手段は、スリットが形成されており、上記電子機器と上記搭載筐体との距離よりも長く形成されており、上記配線手段のシート面が上記配線手段が差し込まれる方向に対して波型に湾曲した形状を形成している構成である。
【００３８】
つまり、搭載される電子機器はその一対の側面に備える複数個の振動減衰手段によって搭載筐体に設置されている。そのため、搭載筐体の外部から加えられた振動及び衝撃によって内蔵される電子機器が前後左右上下方向の何れの方向に揺すられた場合でも、振動減衰手段が揺すられたそれぞれの方向に対して直線的に伸縮を行うことができる。そのため、振動減衰手段は、その弾性によって振動及び衝撃を吸収、緩和する作用のみを行うことができ、効果的に振動及び衝撃による電子機器の動きを抑制することができる。
【００３９】
また、電子機器と搭載筐体とがＦＰＣによって形成されている配線手段によって電気的に接続されている。そのため、電子機器を搭載筐体に設置する度に配線手段の形状が変化することが少ない。そのため、配線手段が有する弾性の特性、例えば電子機器に接触していることによって作用する配線手段の弾性及び柔軟性の特性や、配線手段自体が有する固有振動数などが変化しにくい。そのため、搭載筐体の外部から伝達される振動及び衝撃を、常に同じように搭載する電子機器に伝達することができる。
【００４０】
また、配線手段がＦＰＣで一体に形成されているので、配線手段が有する弾性及び柔軟性の特性、例えば配線手段が搭載筐体に設置された電子機器に機械的に接触することによる配線手段の振動伝達作用や、配線手段自体が有する固有振動数などの影響を制御することが可能である。
【００４１】
さらに、配線手段は、電子機器と搭載筐体との距離よりも長く形成されており、搭載筐体コネクタに配線手段が差し込まれる方向に対して波型に湾曲した形状で電子機器と搭載筐体とを接続している。また、この配線手段は、上記配線手段のシート面が上記配線手段が差し込まれる方向に対しても波型に湾曲した形状で接続されているため、電子機器を機械的に押したり、引っ張ったりする作用を抑えることができる。また配線手段にはスリットが設けられているため、上記の搭載筐体コネクタ平面上であり、搭載筐体コネクタの差込口に配線手段を接続する方向に垂直な方向、即ちＦＰＣで形成される配線手段に設けられた複数の信号線を横断する方向に対してもスムーズに変形を行うことができる。そのため、搭載筐体の外部から伝達される振動及び衝撃を、配線手段が電子機器に伝達する作用が非常に少なくなる。つまり、電子機器は、振動減衰手段のみによって搭載筐体に設けられていると考えることができるので、振動減衰手段の弾性によって効果的に振動及び衝撃を吸収することができる。
【００４２】
また、本発明の電子機器装着装置は、以上のように、信号接続部を備えており、上記に記載する電子機器の搭載筐体を着脱可能に装着するとともに上記信号接続手段が上記信号接続部に電気的に接続されている構成である。
【００４３】
つまり、本発明の電子機器の搭載筐体を記録媒体として着脱可能に備えることができる。
【００４４】
それゆえ、電子機器の搭載筐体の外部に生じた振動及び衝撃を内蔵する電子機器に伝えにくい防振構造を有する電子機器の搭載筐体、及び該搭載筐体を着脱可能に装着する電子機器装着装置を提供することができるという効果を奏する。
【発明を実施するための最良の形態】
【００４５】
本発明の実施の形態について図１〜図５に基づいて説明すれば、以下の通りである。
【００４６】
以下の実施の形態としては、内蔵する電子機器の一実施形態としてハードディスク装置を用いる場合について記載するが、内蔵する電子機器は外部からの振動及び衝撃を伝達することが好ましくない電子機器全般について適用することができる。
【００４７】
図１（ａ）〜（ｄ）は、本実施の形態のＨＤＤユニット１００を示す平面図及び断面図である。本実施の形態のＨＤＤユニット１００は、直方体形状である場合について記載するが、ＨＤＤユニットは他の形状で形成することも可能である。
【００４８】
図１（ａ）は本実施の形態のＨＤＤユニット１００を上方から見た平面図であり、ＨＤＤユニット１００を装着する電子機器装着装置２００と共に記載されている。また図１（ｂ）は、本実施の形態のＨＤＤユニット１００の側面図である。また図１（ｃ）は、図１（ａ）のＡ−Ａ’断面図であり、図１（ｄ）は本実施の形態のＨＤＤユニット１００を正面から見た平面図である。また、図２は、本実施の形態のＨＤＤユニット１００を示す斜視図である。
【００４９】
本実施の形態の電子機器装着装置２００は、本実施の形態のＨＤＤユニット１００を装着する装置であり、本実施の形態のＨＤＤユニット１００を電気的に接続するためのコネクタ２３０を備えている。コネクタ２３０は、後述するコネクタ接続部１３０に電気的に接続するコネクタであり、周知の構造のコネクタを用いることができる。
【００５０】
本実施の形態のＨＤＤユニット１００は、例えば大容量の記録容量を持ち運ぶ記録媒体として用いることができる。そのため、電子機器装着装置２００はその記録媒体としてのＨＤＤユニット１００を取り付け、取り外しできる装置であればよい。このような装置は、例えば設置型、またはノートパソコンなどの持ち運び型のコンピュータの外部記録再生装置や、車載型道路ナビゲーションシステムの記録再生装置などの周知の装置に用いることができる。またＨＤＤユニット１００と電子機器装着装置２００との接続方法もネジ止めなどの周知の方法を用いて接続、固定を行うことができる。
【００５１】
本実施の形態のＨＤＤユニット１００は、シャーシ１１０、ＦＰＣハーネス部１２０、コネクタ接続部１３０、ダンパ１４０、フロントグリル１５０、及びハードディスク装置１６０を備えている。
【００５２】
シャーシ１１０は、コネクタ接続部１３０及びフロントグリル１５０とともに本実施の形態のＨＤＤユニット１００の基本骨格構造を形成している。シャーシ１１０は、周知のハードディスクマウンタなどと同様に形成することができる。例えば鉄やアルミなどを含有する合金で形成しても良い。またその外形などは、後述するように用いるハードディスク装置１６０などに合わせて形成しても良いし、ＨＤＤユニット１００を装着する電子機器装着装置２００の形状に合わせて形成しても良い。
【００５３】
コネクタ接続部１３０は、本実施の形態のＨＤＤユニット１００を電子機器装着装置２０に電気的に接続するためのコネクタ１３１（搭載筐体コネクタ）を備えている。本実施の形態のコネクタ１３１は、シート状に形成されたＦＰＣ（Flexible Printed Circuit）によって形成されたＦＰＣハーネス部１２０に接続している。ＦＰＣハーネス部１２０についての詳細は後述するが、本実施の形態のコネクタ１３１では、ＦＰＣハーネス部１２０のシート状のＦＰＣが平面的にコネクタ１３１に接続している。また本実施の形態のコネクタ１３１は、平面形状の基板として形成されている。
【００５４】
尚、本実施の形態では、コネクタ１３１の平面形状の基板表面と、コネクタ１３１及びＦＰＣハーネス部１２０の接合面とは、ハードディスク装置１６０のディスクの回転軸の方向に垂直な平面に平行になるように設けられている。言い換えると、ハードディスク装置１６０のディスクのなす平面に平行であり、一般的にハードディスク装置１６０に設けられる図示しない制御基板が形成されている面に平行な面にコネクタ１３１の表面と、コネクタ１３１及びＦＰＣハーネス部１２０の接合面とが設けられている。この面は、ＨＤＤユニット１００の外部の表面であり、最も大きな面積を備える面に平行な面と表現することもできる。
【００５５】
コネクタ１３１はまた、ＦＰＣハーネス部１２０を介してハードディスク装置１６０に設けられているコネクタ１６１（電子機器コネクタ）に電気的に接続している。
【００５６】
フロントグリル１５０は、コネクタ接続部１３０が設けられている側に対向するシャーシ１１０の側面に設けられている。本実施の形態のＨＤＤユニット１００において、フロントグリル１５０には内部に設けられるハードディスク装置１６０に冷却用の空気を送ることのできる換気スリット１５１が設けられている。
【００５７】
本実施の形態のＨＤＤユニット１００は、現在市場に流通している形状のハードディスク装置を用いることが可能である。また、専用に製作されたハードディスク装置を用いることもできる。上記のシャーシ１１０は、これらのハードディスク装置を後述するダンパ１４０を介して固定することができる形状であればよく、周知の方法で形成することができる。
【００５８】
本実施の形態のＨＤＤユニット１００に装着されるハードディスク装置１６０は、例えば現在市場に流通している１．８インチ型、２．５インチ型、３．５インチ型などの規格品を装着することも可能であるし、さらに専用に製造されたハードディスク装置などを自由に装着することができる。
【００５９】
本実施の形態のＨＤＤユニット１００では、ハードディスク装置１６０に設けられているコネクタ１６１とコネクタ部１３０に設けられているコネクタ１３１とがＦＰＣハーネス部１２０によって物理的に接続されているとともに、電気的に接続されている。本実施の形態のＨＤＤユニット１００では、ＦＰＣハーネス部１２０はシート状に形成されたＦＰＣ（Flexible Printed Circuit）によって形成されている。ＦＰＣは周知の方法で形成されている部材を用いることができる。
【００６０】
本実施の形態のＦＰＣハーネス部１２０は、コネクタ１６１とコネクタ１３１との間に１個または複数個のスリット１２１を備えている。図３は、本実施の形態のＦＰＣハーネス部１２０を示す平面図である。
【００６１】
このスリット１２１は、例えばコネクタ１６１からコネクタ１３１に延びる方向に沿って設けられていても良い。このようにＦＰＣハーネス部１２０に形成されているスリット１２１によって、ＦＰＣハーネス部１２０が有する弾性及び柔軟性の特性、例えばＦＰＣハーネス部１２０がハードディスク装置１６０に機械的に接触することによって作用する配線手段の振動伝達作用や、ＦＰＣハーネス部１２０自体が有する固有振動数などを調整することができる。
【００６２】
そして、本実施の形態のＦＰＣハーネス部１２０は、十分な長さでハードディスク装置１６０及びコネクタ１３１を接続しており、ＦＰＣハーネス部１２０がハードディスク装置１６０とコネクタ１３１との間で緩やかに山なりに接続していることが好ましい。例えばコネクタ１６１とコネクタ１３１との間であり、コネクタ１３１にＦＰＣハーネス部１２０が差し込まれる方向に対して波型に湾曲した形状で接続されていると共にコネクタ１３１の表面に対しても波型に湾曲した形状で接続されていてもよい。本実施の形態のＦＰＣハーネス部１２０はこのようにコネクタ１６１とコネクタ１３１との間に接続されているため、外部からの振動や衝撃によってＦＰＣハーネス部１２０がハードディスク装置１６０を機械的に押したり、引っ張ったりする作用を抑えることができる。
【００６３】
尚、ＦＰＣハーネス部１２０は、コネクタ１３１にＦＰＣハーネス部１２０が差し込まれる方向に沿って延設されていても良いし、コネクタ１３１にＦＰＣハーネス部１２０が差し込まれる方向からずれた方向に向かって延設されていても良い。ＦＰＣハーネス部１２０は、コネクタ１６１とコネクタ１３１との位置関係に依存して延設することができる。
【００６４】
また、本実施の形態のダンパ１４０は、シャーシ１１０とハードディスク装置１６０とを物理的に接続している部材である。本実施の形態のＨＤＤユニット１００では、ダンパ１４０はハードディスク装置１６０の側面に形成されている。
【００６５】
図４は、本実施の形態のＨＤＤユニット１００を上方から見た平面図であり、図１（ａ）に示すシャーシ１１０の一部を透視するように記載している。本実施の形態のダンパ１４０は、図４に記載するように、コネクタ１３１の平板形状の基板表面に対して垂直なハードディスク装置１６０の側面であり、コネクタ１３１及びフロントグリル１５０に対向しない側面にそれぞれ２個ずつ、合計４個設けられている。つまり、ハードディスク装置１６０の対向する一対の側面にそれぞれ２個ずつ、合計４個のダンパ１４０が設けられている。
【００６６】
これらのダンパ１４０は、ハードディスク装置１６０の上記の側面の任意の位置に設けてもよいが、例えばハードディスク装置１６０が固定用として備えている周知の図示しない取り付けネジ部に固定されていても良い。またこれらの４個のダンパ１４０は、ハードディスク装置１６０の側面の対称的な位置に設けても良い。一方の側面に設けられた２個のダンパ１４０に対して、ハードディスク装置１６０を介して対向する位置の他方の側面、即ちコネクタ１３１にＦＰＣハーネス部１２０を差し込む方向に対して線対称な位置に２個のダンパ１４０が設けられていても良い。このようにハードディスク装置１６０がシャーシ１１０に設置されることによって、安定して設置することができる。
【００６７】
尚、ダンパ１４０はハードディスク装置１６０にネジ止めなどの周知の方法で固定することができる。
【００６８】
本実施の形態のダンパ１４０は、外部からシャーシ１１０に与えられた振動及び衝撃を吸収、緩和する部材であり、弾性を有する部材で形成されている。例えばシリコンゴムなどの弾性部材で形成されていても良いし、オイルなどの流体で支えられている弾性部材で形成されていても良い。このようなダンパとして、例えばPioneer material Precision Techが、材質及び硬度としてＩＩＲ１０°と表記する商品として供給しているダンパなどを用いることができる。またダンパ１４０は上記の部材に限られず、周知のものを用いることができる。
【００６９】
次に、図５を用いて本実施の形態のＨＤＤユニット１００に振動及び衝撃が作用した場合の動作について説明する。
【００７０】
図５は本実施の形態のＨＤＤユニット１００の正面方向から見た平面図であり、説明のためにフロントグリル１５０を取り外している。
【００７１】
本実施の形態のＨＤＤユニット１００では、ハードディスク装置１６０は上記のように設けられたダンパ１４０によってシャーシ１１０に設置されている。そのため、本実施の形態のＨＤＤユニット１００が上下方向（図５に記載するｚ軸の方向であり、コネクタ１３１の平板形状の基板表面に垂直な方向）に動くと、ハードディスク装置１６０は上下方向に揺すられると共にダンパ１４０の振動減衰効果によって動きが抑制される。同様に、左右方向（図５に記載するｙ軸の方向であり、即ちコネクタ１３１の平板形状の基板表面に平行かつコネクタ１３１にＦＰＣハーネス部１２０を差し込む方向に対して垂直な方向）及び前後方向（図５に記載するｘ軸の方向であり、コネクタ１３１にＦＰＣハーネス部１２０を差し込む方向）に揺すられる場合でも、ダンパ１４０の振動減衰効果によって動きが抑制されることがわかる。
【００７２】
ダンパ１４０は、上述のようにハードディスク装置１６０の対向する側面上に２箇所ずつ、合計４箇所に設けられているため、上記のように前後左右上下の３次元方向の動きに対してそれぞれ直線的に伸縮を行うことができる。そのため、ダンパ１４０は、その弾性によって振動及び衝撃を吸収、緩和する作用のみを行えば良いのでハードディスク装置１６０を効果的に振動及び衝撃から保護することができる。
【００７３】
また、本実施の形態のＨＤＤユニット１００では、ハードディスク装置１６０とコネクタ１３１とはＦＰＣハーネス部１２０によって物理的に接続されているとともに、電気的に接続されている。このＦＰＣハーネス部１２０は上述のようにＦＰＣで一体に形成されている。そのため、ハードディスク装置１６０をＨＤＤユニット１００に設置する場合に、フラットケーブルを用いる従来の構成と比較してＦＰＣハーネス部１２０の形状が変化することが少ない。そのため、ＨＤＤユニット１００の外部から伝達される振動及び衝撃を、常に同じようにハードディスク装置１６０に伝達するようにすることができる。
【００７４】
また、ＦＰＣハーネス部１２０がＦＰＣで一体に形成されているので、ＦＰＣハーネス部１２０が有する弾性及び柔軟性の特性、例えばＦＰＣハーネス部１２０がシャーシ１１０に設けられたハードディスク装置１６０に機械的に接触することによるＦＰＣハーネス部１２０の振動伝達作用や、ＦＰＣハーネス部１２０自体が有する固有振動数などの影響を制御することが可能である。そのため、ＦＰＣハーネス部１２０が及ぼす振動伝達作用やＦＰＣハーネス部１２０自体が有する固有振動数を調整することができる。
【００７５】
また、ＦＰＣハーネス部１２０は、十分な長さでコネクタ１６１及びコネクタ１３１を緩やかに山なりに接続しているため、ハードディスク装置１６０を機械的に押したり、引っ張ったりする作用を抑えることができる。またＦＰＣハーネス部１２０にはスリット１２１が設けられているため、ＦＰＣハーネス部１２０に設けられた複数の信号線を横断する方向に対してもスムーズに変形を行うことができる。そのため、シャーシ１１０に与えられた振動及び衝撃を、ＦＰＣハーネス部１２０がハードディスク装置１６０に伝達する作用が非常に少なくなる。つまり、ハードディスク装置１６０は、ダンパ１４０のみによってシャーシ１１０に設けられていると考えることができるので、ダンパ１４０の弾性によって効果的に振動及び衝撃を吸収することができる。
【００７６】
なお本発明は、以上説示した各構成に限定されるものではなく、特許請求の範囲に示した範囲で種々の変更が可能である。また、上記の発明で説示された技術的手段を適宜組み合わせて得られる実施の形態についても本発明の技術的範囲に含まれる。
【産業上の利用可能性】
【００７７】
以上のように、本発明では、ハードディスク装置の側面に形成されたダンパによってハードディスク装置がＨＤＤユニットのシャーシに固定され、かつハードディスク装置がＦＰＣで形成されたハーネスを介してＨＤＤユニットの外部に設けられた各種の機器に電気的に接続される構成であるため、ＨＤＤユニットに外部から加えられた振動及び衝撃を内蔵するハードディスク装置に伝達しにくく、ダンパによって効果的に振動及び衝撃を吸収、緩和することができる。そのため、本発明は、設置型、またはノートパソコンなどの持ち運び型のコンピュータの外部記録再生装置や、車載型道路ナビゲーションシステムの記録再生装置などの周知の大容量記録再生装置、またはその大容量記録再生装置を着脱可能に持ち運ぶ用途に利用することができるだけでなく、さらには、振動及び衝撃に弱い電子機器を着脱可能に持ち運ぶ用途に広く応用することが可能である。
【図面の簡単な説明】
【００７８】
【図１】（ａ）〜（ｄ）は本発明における電子機器ユニットの実施の一形態を示す図であり、（ａ）は本発明における電子機器ユニットを上方から見た平面図であり、（ｂ）は側面図、（ｃ）は（ａ）のＡ−Ａ’断面図、（ｄ）は正面から見た平面図である。
【図２】本発明における電子機器ユニットの実施の一形態を示す図であり、図１の電子機器ユニットの斜視図である。
【図３】図１（ａ）に示すＦＰＣハーネス部を示す平面図である。
【図４】図１の電子機器ユニットを上方から見た平面透視図であり、シャーシの一部を透視するように記載した平面透視図である。
【図５】図１の電子機器ユニットを正面方向から見た平面図であり、説明のためにフロントグリルが取り外されている平面図である。
【図６】従来のＨＤＤユニットを示す断面図である。
【図７】従来のＨＤＤユニットを示す平面図である。
【符号の説明】
【００７９】
１００    ＨＤＤユニット（搭載筐体）
１１０    シャーシ
１２０    ＦＰＣハーネス部（配線手段）
１２１    スリット
１３０    コネクタ接続部（信号接続手段）
１３１    コネクタ（搭載筐体コネクタ）
１４０    ダンパ（振動減衰手段）
１５０    フロントグリル
１５１    換気スリット
１６０    ハードディスク装置（電子機器）
１６１    コネクタ（電子機器コネクタ）
２００    電子機器装着装置
２３０    コネクタ接続部（信号接続部）
【図１】
2008210454.tif 000003
【図２】
2008210454.tif 000004
【図３】
2008210454.tif 000005
【図４】
2008210454.tif 000006
【図５】
2008210454.tif 000007
【図６】
2008210454.tif 000008
【図７】
2008210454.tif 000009